(57)【要約】【課題】ズーム比が大きく、広角端での画角が広角でありながら、広角端でのＦ値が明るく、全変倍域・全撮影距離において光学性能の良好なコンパクトなズームレンズ。【解決手段】物体側から順に、負の屈折力の第１レンズ群Ｇ１、正の屈折力の第２レンズ群Ｇ２、正の屈折力の第３レンズ群Ｇ３を有し、各レンズ群の間隔を変化させることにより変倍を行い、第２レンズ群Ｇ２の最も像側のレンズは像側に凹面を向けた形状をしており、第３レンズ群Ｇ３の最も物体側のレンズは物体側に凹面を向けた負レンズであり、変倍時に第２レンズ群Ｇ２と第３レンズ群Ｇ３の間隔が広角端よりも望遠端で大きくなるズームレンズ。【選択図】図１
2007279184.tif 000002
【特許請求の範囲】
【請求項１】
物体側から順に、負の屈折力の第１レンズ群、正の屈折力の第２レンズ群、正の屈折力の第３レンズ群を有し、各レンズ群の間隔を変化させることにより変倍を行い、前記第２レンズ群の最も像側のレンズは像側に凹面を向けた形状をしており、前記第３レンズ群の最も物体側のレンズは物体側に凹面を向けた負レンズであり、変倍時に前記第２レンズ群と第３レンズ群の間隔が広角端よりも望遠端で大きくなることを特徴とするズームレンズ。
【請求項２】
前記第３レンズ群を移動させることで至近物点に対するフォーカシングを行うことを特徴とする請求項１記載のズームレンズ。
【請求項３】
前記第３レンズ群は、物体側から順に、負レンズ、正レンズの２枚からなることを特徴とする請求項１又は２記載のズームレンズ。
【請求項４】
前記第３レンズ群内の負レンズと正レンズは以下の条件式を満足することを特徴とする請求項３記載のズームレンズ。
−４．２＜ｆ3n／ｆ3p＜−１．１                                ・・・（１）
ただし、ｆ3nは前記第３レンズ群内の負レンズの焦点距離、ｆ3pは前記第３レンズ群内の正レンズの焦点距離である。
【請求項５】
前記第３レンズ群内の最も物体側の負レンズは以下の条件式を満足することを特徴とする請求項１から４の何れか１項記載のズームレンズ。
−７．９０＜ＳＦ3n＜−１．２０                                ・・・（２）
ただし、ＳＦ3n＝（Ｒ31f ＋Ｒ31r ）／（Ｒ31f −Ｒ31r ）で定義され、Ｒ31f 、Ｒ31r はそれぞれ前記第３レンズ群の負レンズの物体側面、像側面の軸上曲率半径である。
【請求項６】
前記第３レンズ群内の最も物体側の負レンズは以下の条件式を満足することを特徴とする請求項１から５の何れか１項記載のズームレンズ。
１．７５＜ｎd3n ＜２．２０                                    ・・・（３）
１３．０＜νd3n ＜３３．０                                    ・・・（４）
ただし、ｎd3n 、νd3n は前記第３レンズ群内の最も物体側の負レンズのそれぞれｄ線に対する屈折率、アッベ数である。
【請求項７】
以下の条件式を満足することを特徴とする請求項１から６の何れか１項記載のズームレンズ。
０．３５＜ｄ23／ｆw ＜１．２５                                ・・・（５）
ただし、ｄ23は広角端における前記第２レンズ群と前記第３レンズ群の軸上間隔、ｆw は広角端での全系焦点距離である。
【請求項８】
前記第１レンズ群は２枚以下のレンズから構成されていることを特徴とする請求項１から７の何れか１項記載のズームレンズ。
【請求項９】
前記第１レンズ群は１枚の負レンズからなることを特徴とする請求項８記載のズームレンズ。
【請求項１０】
前記第１レンズ群内の負レンズは以下の条件式を満足することを特徴とする請求項９記載のズームレンズ。
７５．０＜νd1n ＜１０５．０                                  ・・・（６）
ただし、νd1n は前記第１レンズ群内の負レンズのアッベ数である。
【請求項１１】
前記第１レンズ群内の負レンズが以下の条件式を満足することを特徴とする請求項１０記載のズームレンズ。
０．０１＜ＳＦ1n＜１．００                                    ・・・（７）
ただし、ＳＦ1n＝（Ｒ11f ＋Ｒ11r ）／（Ｒ11f −Ｒ11r ）で定義され、Ｒ11f 、Ｒ11r はそれぞれ前記第１レンズ群の負レンズの物体側面、像側面の軸上曲率半径である。
【請求項１２】
前記第１レンズ群は、負レンズ、正レンズの接合レンズからなることを特徴とする請求項８記載のズームレンズ。
【請求項１３】
開口絞りを前記第２レンズ群と前記第３レンズ群の間に配置したことを特徴とする請求項１から１２の何れか１項記載のズームレンズ。
【請求項１４】
以下の条件式を満足することを特徴とする請求項１から１３の何れか１項記載のズームレンズ。
５．０＜Ｆｎｏw ×Ｌw ／ｆw ＜１７．０                      ・・・（１６）
ただし、Ｆｎｏw は広角端での開放Ｆ値、Ｌw は広角端でのレンズ系の全長、ｆw は広角端での全系焦点距離である。
【請求項１５】
請求項１から１４の何れか１項記載のズームレンズと、前記ズームレンズによって形成された物体像を受光する位置に配置された撮像素子とを備えたことを特徴とする電子撮像装置。
【請求項１６】
請求項１から１４の何れか１項記載のズームレンズと、前記ズームレンズによって形成された物体像を受光する位置に配置された撮像素子と、前記撮像素子によって光電変換された電子信号を処理するＣＰＵと、操作者が前記ＣＰＵに入力したい情報信号を入力するための入力部と、前記ＣＰＵからの出力を表示装置に表示する表示処理手段と、前記ＣＰＵからの出力を記録する記録媒体とを含み、前記ＣＰＵは、前記ズームレンズによって前記撮像素子で受光された物体像を前記表示装置に表示するように構成されていることを特徴とする情報処理装置。
【請求項１７】
前記情報処理装置は携帯端末機器であることを特徴とする請求項１６記載の情報処理装置。
【請求項１８】
請求項１から１４の何れか１項記載のズームレンズと、前記ズームレンズによって形成された物体像を受光する位置に配置された撮像素子と、前記撮像素子によって光電変換された電子信号を処理するＣＰＵと、前記撮像素子で受光された物体像を観察可能に表示する表示素子とを有し、前記撮像素子で受光された物体像の像情報を記録するための記録媒体を内蔵又は挿脱するように構成され、前記ＣＰＵが、前記撮像素子に受光された物体像を前記表示素子に表示する表示装置と、前記撮像素子に受光された物体像を前記記録媒体に記録する記録処理手段とを有することを特徴とする電子カメラ装置。
0
【発明の詳細な説明】
【技術分野】
【０００１】
本発明は、ズームレンズに関し、特に、デジタルカメラやビデオカメラ等の電子撮像装置に用いたときの奥行き方向の薄型化を実現することができるズームレンズとそれを用いた電子撮像装置等の装置に関するものである。
【背景技術】
【０００２】
近年、銀塩３５ｍｍフィルムカメラに代わる次世代カメラとしてデジタルカメラが注目されている。さらに、それは業務用高機能タイプからポータブルな普及タイプまで幅広い範囲でいくつものカテゴリーを有するようになってきている。本発明においては、特にポータブルな普及タイプのカテゴリーに注目し、高画質を確保しながら奥行きの薄いビデオカメラ、デジタルカメラを実現する技術を提供することをねらっている。
【０００３】
カメラの奥行き方向を薄くするのに最大のネックとなっているのは、光学系、特にズームレンズ系の最も物体側の面から撮像面までの厚みである。最近では、撮影時に光学系をカメラボディ内からせり出し、携帯時に光学系をカメラボディ内に収納するいわゆる沈胴式鏡筒を採用することが主流になっている。
【０００４】
薄型化小型化を実施するには、撮像素子を小さくすればよいが、同じ画素数とするためには画素ピッチを小さくする必要があり、感度不足を光学系でカバーしなければならない。回折の影響も然りである。したがってＦ値の明るい光学系が必要となる。さらに、幅広い撮影領域を楽しみたいというユーザーの要求を満たすためには、広角端の画角が広くて、なおかつ、変倍比が大きなズームレンズが要求される。
【０００５】
ズーム比が３倍程度と大きく、画角が広く、比較的コンパクトなズームレンズの例として特許文献１〜３に開示されたものがある。
【特許文献１】特開２００４−３１８０９９号公報
【特許文献１】特開２００４−３１８１０６号公報
【特許文献１】特開２００４−３１８１０７号公報
【発明の開示】
【発明が解決しようとする課題】
【０００６】
これらのズームレンズは、物体側から順に、負の屈折力の第１レンズ群、正の屈折力の第２レンズ群、正の屈折力の第３レンズ群を有する構成をとり、第１レンズ群内を構成するレンズ間の光軸上間隔を短くしたり、あるいは１枚の負レンズのみの構成としたりして、さらにインナーフォーカスを採用することで、沈胴時の鏡筒の厚みが比較的コンパクトなズームレンズを実現している。しかしながら、これらの特許文献に開示されている実施例では、広角端でのＦ値が２．８程度と暗く、十分に大口径比化がなされていない。それは、以下のような理由からである。
【０００７】
開示されている実施例では、コンパクト化のために第１レンズ群内のレンズ間隔を短くしたり、あるいは、負レンズ１枚のみの構成としたりしているため、第１レンズ群内で発生する諸収差がキャンセルされずに残存しやすくなっている。さらに、正の第２レンズ群は主に変倍を担う群であるため、必然的にパワーが強くなり、これに伴い大きな収差が発生しやすい。これらの収差が除去し切れておらず、その結果、変倍時の各レンズ群の移動に伴う収差変動が大きくなる。これらは大口径比化を行う程顕著な問題となる。開示された実施例では、上記のような課題が解決されていないため、コンパクトではあるが、十分な大口径比化に至っていない。また、インナーフォーカス時に十分良好な至近性能を確保することも困難となっている。
【０００８】
本発明は従来技術のこのような問題点に鑑みてなされたものであり、その目的は、ズーム比が大きく（例えば、３倍程度）、広角端での画角が広角（例えば、６０°程度）でありながら、広角端でのＦ値が明るく（例えば、１．８程度）、全変倍域・全撮影距離において光学性能の良好なコンパクトなズームレンズを提供することである。
【課題を解決するための手段】
【０００９】
上記目的を達成する本発明のズームレンズは、物体側から順に、負の屈折力の第１レンズ群、正の屈折力の第２レンズ群、正の屈折力の第３レンズ群を有し、各レンズ群の間隔を変化させることにより変倍を行い、前記第２レンズ群の最も像側のレンズは像側に凹面を向けた形状をしており、前記第３レンズ群の最も物体側のレンズは物体側に凹面を向けた負レンズであり、変倍時に前記第２レンズ群と第３レンズ群の間隔が広角端よりも望遠端で大きくなることを特徴とするものである。
【００１０】
以下に、本発明のズームレンズにおいて、上記構成をとる理由と作用を説明する。
【００１１】
以上のように負先行型のレンズ構成とすることで、全長を小さくしても適度な変倍比を確保でき、広角端での画角も確保しやすくなる。さらに、広角化しても、最も物体側のレンズ外径が比較的小さくてすむ。
【００１２】
第２レンズ群の最も像側のレンズは像側に凹面を向けた形状とし、第３レンズ群の最も物体側のレンズは物体側に凹面を向けた負レンズとすることで、第１レンズ群及び第２レンズ群で発生した軸外諸収差を第３レンズ群で効率的にキャンセルさせやすい構成としている。具体的には、第２レンズ群の最も像側の凹面で光線を跳ね上げて光線高さを高くした状態で、第３レンズ群の最も物体側の物体側に凹面を向けた負レンズに軸外光線を入射させることで、第１レンズ群で発生する非点収差、歪曲収差、倍率色収差を第３レンズ群でキャンセルできる。また、第２レンズ群が変倍の作用を担う上で発生しやすい球面収差、歪曲収差、コマ収差を第３レンズ群でキャンセルできる。この第３レンズ群を変倍時に他の群と独立して移動させることで、全変倍域での収差変動を小さく抑えることに成功している。
【００１３】
後述するように、鏡筒のコンパクト化のためにはインナーフォーカスを採用することが有利だが、上記のようなレンズ構成を採用することで、第３レンズ群インナーフォーカスによる至近撮影時の収差変動も小さく抑えられる。また、変倍時に第２レンズ群と第３レンズ群の間隔を広角端よりも望遠端で大きくなるように移動させることで、中間域焦点距離近辺から望遠端にかけての変倍域において第３レンズ群に増倍作用を持たせることができるため、主な変倍群である第２レンズ群の負担を軽減させ、変倍時の収差変動をさらに小さくすることができる。第２レンズ群の移動量を小さくできるため、鏡筒のコンパクト化にも貢献する。
【００１４】
本発明では、このように光学系に工夫を施して、具体的な一例として、ズーム比が３倍程度と大きく、広角端での画角が６０°程度と広角でありながら、広角端でのＦ値が１．８程度と明るく、全変倍域・全撮影距離において光学性能の良好なコンパクトなズームレンズを実現している。
【００１５】
本発明では、さらなるコンパクト化と良好な光学性能確保を行うため、さらに種々の工夫に加えている。以下に詳細に説明する。
【００１６】
負の第１レンズ群、正の第２レンズ群、正の第３レンズ群を有する構成とし、変倍時に第１レンズ群は像側に凸の軌跡で移動し、第２レンズ群は物体側のみに移動する構成とするとよい。このような構成にすることで、射出側のテレセントリック性が良くなり、撮像素子のＣＤＤ等に効率的に光線を入射させることができる。また、バックフォーカスを長くとることができるため、光学的ローパスフィルターや赤外線カットフィルターといった部材を配置するスペースが確保できる。また、射出瞳距離を適切に保ちながら、全長をコンパクトにすることができる。
【００１７】
至近物点に対するフォーカシングは、第３レンズ群を移動させることで行うとよい。第３レンズ群によるインナーフォーカス方式は、全体繰り出し方式や第１レンズ群繰り出しによるフォーカス方式と比べて、移動レンズ群が軽量なためモータに掛かる負荷が少ない、全長が大きくならない、鏡枠内部に駆動モータを配置できるため鏡枠の径方向が大きくならない等、レイアウト上小型化に有利である。
【００１８】
第３レンズ群は、物体側から順に、負レンズ、正レンズの２枚からなる構成とするとよい。第２レンズ群を射出し第３レンズ群を通過する軸外光線は光軸に対して大きな角度になりやすいが、このような構成とすると、第３レンズ群内を通過する軸外光線角度を光軸に対して小さな角度にすることができる。そのため、第３レンズ群を移動させても、軸外諸収差、特に像面変動とコマ収差の変動を抑えることができる。また、軸上マージナル光線の光軸に対する角度が小さくなるため、フォーカシング時の球面収差の変動も小さくなる。したがって、第３レンズ群フォーカス時の至近撮影性能を良好に確保することができる。
【００１９】
このとき、第３レンズ群内の負レンズと正レンズは以下の条件式を満足するとよい。
【００２０】
−４．２＜ｆ3n／ｆ3p＜−１．１                                ・・・（１）
ただし、ｆ3nは前記第３レンズ群内の負レンズの焦点距離、ｆ3pは前記第３レンズ群内の正レンズの焦点距離である。
【００２１】
条件式（１）の上限の−１．１を越えると、広角端での負の歪曲収差が過剰に発生する。下限の−４．２を越えると、第３レンズ群内を通過する軸外光線の角度を小さくする作用が小さくなるため、第３レンズ群フォーカス時の像面変動やコマ収差変動が大きくなり、至近撮影時の光学性能確保が難しくなる。
【００２２】
さらに、以下を満足するとなおよい。
【００２３】
−３．５０＜ｆ3n／ｆ3p＜−１．５０                          ・・・（１）’
さらに、以下を満足するとさらによい。
【００２４】
−２．８０＜ｆ3n／ｆ3p＜−１．９０                          ・・・（１）”
第３レンズ群内の最も物体側の負レンズは以下の条件式を満足するとよい。
【００２５】
−７．９０＜ＳＦ3n＜−１．２０                                ・・・（２）
ただし、ＳＦ3n＝（Ｒ31f ＋Ｒ31r ）／（Ｒ31f −Ｒ31r ）で定義され、Ｒ31f 、Ｒ31r はそれぞれ前記第３レンズ群の負レンズの物体側面、像側面の軸上曲率半径である。
【００２６】
条件式（２）の上限の−１．２０を越えると、第３レンズ群内を通過する軸外光線の角度を小さくする作用が小さくなるため、第３レンズ群フォーカス時の像面変動やコマ収差変動が大きくなり、至近撮影時の光学性能が確保できなくなる。下限の−７．９０を越えると、ペッツバール和が悪化する。また、像面湾曲の補正が過剰となり、像面が大きくプラス側に湾曲する。また、望遠端で正の歪曲収差が過大に発生する。さらに、レンズ周辺部が物体側に突出するため、沈胴状態で前方のレンズや機械部材と干渉してしまい、鏡筒の厚みをコンパクトにし難くなる。
【００２７】
さらに、以下を満足するとなおよい。
【００２８】
−６．９０＜ＳＦ3n＜−２．２０                              ・・・（２）’
さらに、以下を満足するとさらによい。
【００２９】
−５．９０＜ＳＦ3n＜−３．２０                              ・・・（２）”
また、第３レンズ群内の最も物体側の負レンズは以下の条件式を満足するとよい。
【００３０】
１．７５＜ｎd3n ＜２．２０                                    ・・・（３）
１３．０＜νd3n ＜３３．０                                    ・・・（４）
ただし、ｎd3n 、νd3n は第３レンズ群内の最も物体側の負レンズのそれぞれｄ線に対する屈折率、アッベ数である。
【００３１】
条件式（３）は、収差発生を適正に抑えるためのレンズ屈折率に関する条件式である。屈折率をある程度高くすることでレンズ面の曲率を小さくすることができ、収差発生を小さく抑えることができる。条件式（３）の上限の２．２０を越えると、硝材の入手性や量産性が悪くなり、コストが高くなりがちである。下限の１．７５を越えると、所望の屈折力を得るためにはレンズ面の曲率を大きくしなければならないため、球面収差・コマ収差の発生が過大となり、変倍全域で良好な性能を得ることが難しくなる。
【００３２】
条件式（４）は、軸上色収差を適正に補正するためのレンズアッベ数に関する条件式である。コンパクト化のために第１レンズ群を構成するレンズ間隔を短くしたり、負レンズ１枚のみからの構成としたりすると、第１レンズ群内での色収差補正が不足となりやすい。そこで、第３レンズ群の負レンズのアッベ数を適正にすることで、第１レンズ群で発生した色収差を適正に補正できる。条件式（４）の上限の３３．０を越えると、硝材の色分散が小さくなりすぎ、軸上色収差・倍率色収差補正が不完全となる。下限の１３．０を越えると、硝材の異常分散性が大きくなりやすく、軸上色収差及び倍率色収差の２次スペクトルの補正が難しくなるため、撮影画像に色にじみが発生しやすくなる。又は、色収差の２次スペクトル補正のためにズームレンズを構成するレンズ枚数を増やさなくてはならなくなり、コストが高くなったりズームレンズのコンパクト化ができなくなったりする。
【００３３】
条件式（３）について、以下を満足するとなおよい。
【００３４】
１．８３＜ｎd3n ＜２．０５                                  ・・・（３）’
さらに、以下を満足するとさらによい。
【００３５】
１．９０＜ｎd3n ＜１．９５                                  ・・・（３）”
条件式（４）について、以下を満足するとなおよい。
【００３６】
１５．０＜νd3n ＜２９．０                                  ・・・（４）’
さらに、以下を満足するとさらによい。
【００３７】
１７．０＜νd3n ＜２２．０                                  ・・・（４）”
また、第２レンズ群と第３レンズ群の間隔は以下の条件式を満足するとよい。
【００３８】
０．３５＜ｄ23／ｆw ＜１．２５                                ・・・（５）
ただし、ｄ23は広角端における前記第２レンズ群と前記第３レンズ群の軸上間隔、ｆw は広角端での全系焦点距離である。
【００３９】
条件式（５）の上限の１．２５を越えると、広角端での像面湾曲、歪曲収差の補正が不十分になる。下限の０．３５を越えると、第３レンズ群フォーカシング時の繰り出しスペースが不足してしまうため、第３レンズ群を繰り出すことができなくなり、十分に至近距離の被写体を撮影することができなくなる。
【００４０】
条件式（４）について、以下を満足するとなおよい。
【００４１】
０．４５＜ｄ23／ｆw ＜１．００                              ・・・（５）’
さらに、以下を満足するとさらによい。
【００４２】
０．５５＜ｄ23／ｆw ＜０．７５                              ・・・（５）”
コンパクトな光学系とするためには、第１レンズ群は２枚以下のレンズから構成されることが望ましい。
【００４３】
なお、後記する本発明の実施例１では、第１レンズ群を、物体側から順に、負レンズ、正レンズの接合レンズからなる構成としている。接合レンズとすることで、レンズ間隔の軸上空気間隔をなくし、沈胴状態での鏡筒のコンパクト化を図っている。
【００４４】
さらなるコンパクト化を達成するためには、第１レンズ群を負レンズ１枚のみからの構成とするのがよい。
【００４５】
このとき、第１レンズ群内で発生する諸収差を群内でキャンセルすることができなくなるため、撮影画像が鑑賞に耐え得る現実的な程度のレベルまで収差発生を極力抑える必要がある。そのため、本発明のズームレンズでは、以下に述べるような種々の工夫を施している。
【００４６】
第１レンズ群内の負レンズは以下の条件式を満足するとよい。
【００４７】
７５．０＜νd1n ＜１０５．０                                  ・・・（６）
ただし、νd1n は前記第１レンズ群内の負レンズのアッベ数である。
【００４８】
条件式（６）の上限の１０５．０を越えると、硝材の入手性や量産性が悪くなりコストが高くなりやすい。下限の７５．０を越えると、色収差の発生が過大となり、撮影画像の色にじみが発生しやすくなる。
【００４９】
さらに、以下を満足するとなおよい。
【００５０】
８０．０＜νd1n ＜１００．０                                ・・・（６）’
さらに、以下を満足するとさらによい。
【００５１】
９０．０＜νd1n ＜９６．０                                  ・・・（６）”
また、第１レンズ群内の負レンズは以下の条件式を満足するとよい。
【００５２】
０．０１＜ＳＦ1n＜１．００                                    ・・・（７）
ただし、ＳＦ1n＝（Ｒ11f ＋Ｒ11r ）／（Ｒ11f −Ｒ11r ）で定義され、Ｒ11f 、Ｒ11r はそれぞれ前記第１レンズ群の負レンズの物体側面、像側面の軸上曲率半径である。
【００５３】
条件式（７）は小型化と収差バランスを良好に行なうための条件である。条件式（７）の上限の１．００を越えると、第１レンズ群で発生する球面収差が過大となるため変倍時の球面収差変動が大きくなり、全変倍域で良好な光学性能を確保することが困難になる。下限の０．０１を越えると、入射側の凹面の曲率絶対値が大きくなり、広角側での歪曲収差や非点収差が抑え難くなる。
【００５４】
さらに、以下を満足するとなおよい。
【００５５】
０．０７＜ＳＦ1n＜０．７０                                  ・・・（７）’
さらに、以下を満足するとさらによい。
【００５６】
０．１３＜ＳＦ1n＜０．４０                                  ・・・（７）”
また、第１レンズ群内の負レンズは両面非球面とするのがよい。このように構成することで、像面湾曲、歪曲収差を効果的に補正することができる。このとき、第１レンズ群の非球面は、光軸から離れるに従い負の屈折力が弱くなる形状の非球面とするとよい。第１レンズにおける入射高の高い位置の軸外光線は、レンズ面への入射角が大きくなりやすい。そのため、上述の構成とすることで、入射高が高い位置での軸外光線の入射角が大きくなりすぎることを抑え、諸収差の発生を抑えやすくすることができる。
【００５７】
第２レンズ群は、主に変倍を担う群であるため、良好な光学性能を得るためには、収差の発生をできるだけ小さく抑えることが必要である。本発明では、以下のような様々な工夫を施して、良好な光学性能の確保を実現している。
【００５８】
前述したように、第２レンズ群の最も像側の面は像側に凹面を向けた形状とするとよいが、このとき、以下の条件式を満足するようにするとよい。
【００５９】
０．４４＜Ｒ2r／ｆw ＜１．００                                ・・・（８）
ただし、Ｒ2rは前記第２レンズ群の最も像側の面の軸上曲率半径、ｆw は広角端での全系焦点距離である。
【００６０】
条件式（８）の上限の１．００を越えると、この面の屈折力が弱くなりすぎ、光線を跳ね上げる効果が小さくなる。すると、第３レンズ群に入射する光線の高さが十分に高くならないため、第１レンズ群で発生した非点収差、歪曲収差、倍率色収差等の軸外諸収差をキャンセルすることができなくなる。下限の０．４４を越えると、この面の屈折力が強くなりすぎるため、第２レンズ群で発生する球面収差、コマ収差が過大となり、全変倍域で良好な光学性能を得ることが難しくなる。
【００６１】
さらに、以下を満足するとなおよい。
【００６２】
０．５０＜Ｒ2r／ｆw ＜０．８０                              ・・・（８）’
さらに、以下を満足するとさらによい。
【００６３】
０．５６＜Ｒ2r／ｆw ＜０．６８                              ・・・（８）”
第２レンズ群の構成は、物体側から順に、正レンズ、正レンズと負レンズの接合レンズからなる構成とするとよい。このような構成にすると、第２レンズ群の前側主点位置を物体側に出すことができるので、変倍時の第２レンズ群の移動量を少なくすることができる。また、接合レンズを配置することで、第２レンズ群内で発生する軸上色収差を補正することができる。
【００６４】
また、最も物体側の正レンズは両面非球面とすると、第２レンズ群内で発生するコマ収差、球面収差を効率良く補正することができる。さらに、第２レンズ群の最も像側の凹面に非球面を配置すると、コマ収差、球面収差補正をより効果的に行うことができる。
【００６５】
また、第２レンズ群の最も像側のレンズの硝材について、以下の条件式を満足するとよい。
【００６６】
１．７５＜ｎd2r ＜２．２０                                    ・・・（９）
１５．０＜νd2r ＜５０．０                                  ・・・（１０）
ただし、ｎd2r 、νd2r は前記第２レンズ群内の最も像側のレンズのそれぞれｄ線に対する屈折率、アッベ数である。
【００６７】
条件式（９）の上限の２．２０を越えると、硝材の入手性や量産性が悪くなりコストが高くなりやすい。下限の１．７５を越えると、所望の屈折力を得るためにレンズ面の曲率を大きくしなければならず、球面収差、コマ収差の発生が大きくなり、変倍全域で良好な性能を得られなくなる。
【００６８】
条件式（１０）の上限の５０．０を越えると、第２レンズ群内の色収差が補正足らずとなる。下限の１５．０を越えると、硝材の異常分散性が大きくなりやすく、軸上色収差及び倍率色収差の２次スペクトルの補正が難しくなるため、撮影画像に色にじみが発生しやすくなる。
【００６９】
条件式（９）について、以下を満足するとなおよい。
【００７０】
１．８２＜ｎd2r ＜２．１０                                  ・・・（９）’
さらに、以下を満足するとさらによい。
【００７１】
１．９８＜ｎd2r ＜２．０５                                  ・・・（９）”
条件式（１０）について、以下を満足するとなおよい。
【００７２】
１９．０＜νd2r ＜４３．０                                ・・・（１０）’
さらに、以下を満足するとさらによい。
【００７３】
２３．０＜νd2r ＜２６．０                                ・・・（１０）”
さらに、第１レンズ群の焦点距離ｆ1 について以下の条件式を満足するとよい。
【００７４】
−４．８０＜ｆ1 ／ｆw ＜−１．２０                          ・・・（１１）
条件式（１１）の下限の−４．８０を越えると、第１レンズ群のパワーが弱くなりすぎ、全長が長くなりやすい。上限の−１．２０を越えると、第１レンズ群のパワーが強くなりすぎ、収差補正が困難になる。
【００７５】
さらに、以下を満足するとなおよい。
【００７６】
−４．００＜ｆ1 ／ｆw ＜−１．８０                        ・・・（１１）’
さらに、以下を満足するとさらによい。
【００７７】
−３．２０＜ｆ1 ／ｆw ＜−２．４０                        ・・・（１１）”
第２レンズ群の焦点距離ｆ2 について以下の条件式を満足するとよい。
【００７８】
１．００＜ｆ2 ／ｆw ＜２．００                              ・・・（１２）
条件式（１２）の上限の２．００を越えると、第２レンズ群のパワーが弱くなりすぎ、変倍時の第２レンズ群の移動量が大きくなりやすい。下限の１．００を越えると、第２レンズ群のパワーが強くなりすぎ、収差補正が困難になる。
【００７９】
さらに、以下を満足するとなおよい。
【００８０】
１．３０＜ｆ2 ／ｆw ＜１．９５                            ・・・（１２）’
さらに、以下を満足するとさらによい。
【００８１】
１．６２＜ｆ2 ／ｆw ＜１．８０                            ・・・（１２）”
第３レンズ群の焦点距離ｆ3 について以下の条件式を満足するとよい。
【００８２】
１．５０＜ｆ3 ／ｆw ＜４．２０                              ・・・（１３）
条件式（１３）の上限の４．２０を越えると、第３レンズ群のパワーが弱くなりすぎ、全長が長くなりやすい。また、至近物点へのフォーカスを第３レンズ群で行うときに、移動量が大きくなるため、鏡筒のコンパクト化が難しくなったり、繰り出しスペースが不足して十分な近接撮影が行えなくなる。下限の１．５０を越えると、第３レンズ群のパワーが強くなりすぎ、フォーカス時の像面変動が大きくなりやすく、至近撮影時の性能が劣化する。
【００８３】
さらに、以下を満足するとなおよい。
【００８４】
１．７０＜ｆ3 ／ｆw ＜３．５０                            ・・・（１３）’
さらに、以下を満足するとさらによい。
【００８５】
１．８５＜ｆ3 ／ｆw ＜２．８０                            ・・・（１３）”
また、レンズ全系について、以下の条件式を満たすとよい。
【００８６】
３．１０＜Ｌw ／ｆw ＜７．６０                              ・・・（１４）
ただし、Ｌw は広角端でのレンズ系の全長、ｆw は広角端での全系焦点距離である。
【００８７】
条件式（１４）の上限の７．６０を越えると、全長が長くなりすぎて、鏡筒のコンパクト化が難しくなる。下限の３．１０を越えると、レンズ系を構成する各群のパワーが強くなりすぎて収差の発生量が大きくなりやすく、良好な光学性能を得るのが難しくなる。
【００８８】
さらに、以下を満足するとなおよい。
【００８９】
４．１０＜Ｌw ／ｆw ＜６．８０                            ・・・（１４）’
さらに、以下を満足するとさらによい。
【００９０】
５．１０＜Ｌw ／ｆw ＜６．１０                            ・・・（１４）”
さらに、レンズ全系について、以下の条件式を満たすとよい。
【００９１】
０．６０＜Ｌt ／ｆt ＜３．００                              ・・・（１５）
ただし、Ｌt は望遠端でのレンズ系の全長、ｆt は望遠端での全系焦点距離である。
【００９２】
条件式（１５）の上限の３．００を越えると、全長が長くなりすぎて、鏡筒のコンパクト化が難しくなる。下限の０．６０を越えると、レンズ系を構成する各群のパワーが強くなりすぎて収差の発生量が大きくなりやすく、良好な光学性能を得るのが難しくなる。
【００９３】
さらに、以下を満足するとなおよい。
【００９４】
１．００＜Ｌt ／ｆt ＜２．５０                            ・・・（１５）’
さらに、以下を満足するとさらによい。
【００９５】
１．４０＜Ｌt ／ｆt ＜２．０５                            ・・・（１５）”
開口絞りは、第２レンズ群と第３レンズ群の間に配置するのがよい。このような配置にすると、開口絞りの前後での光学系の対称性が良くなるため、コマ収差、像面湾曲、歪曲収差、倍率色収差といった軸外諸収差をより効果的に補正できる。
【００９６】
また、絞りは変倍時に第２レンズ群と一体で移動するとよい。このようにすると、入射瞳を浅くできるため、最も物体側のレンズ径の小型化に貢献する。また、射出瞳を像面から遠ざけることができるため、入射角を小さくすることで効率的に撮像素子のＣＣＤ等に光線を入射させることができる。
【００９７】
第３レンズ群の像側に、正又は負の第４レンズ群を配置してもよい。像面湾曲や歪曲収差をさらに良好に補正することができる。変倍時に第４レンズ群を他のレンズ群と独立して移動させるとよい。このとき、広角端よりも望遠端で第３レンズ群と第４レンズ群との間隔が広くなるように移動させるとよい。倍率色収差、像面湾曲、歪曲収差をより効果的に補正することが可能となる。
【００９８】
また、本発明のズームレンズは以下の条件式を満足するようにするとよい。
【００９９】
５．０＜Ｆｎｏw ×Ｌw ／ｆw ＜１７．０                      ・・・（１６）
ただし、Ｆｎｏw は広角端での開放Ｆ値、Ｌw は広角端でのレンズ系の全長、ｆw は広角端での全系焦点距離である。
【０１００】
条件式（１６）の上限の１７．０を越えると、Ｆ値が暗くなったり全長が長くなったりして好ましくない。下限の５．０を越えると、Ｆ値が明るくなりすぎたり、全長が短くなりすぎるため、各レンズ群のパワーが強くなり過大な収差が発生したりして、何れにしても本発明の構成では十分な光学性能を確保するのが難しくなる。
【０１０１】
さらに、以下を満足するとなおよい。
【０１０２】
７．０＜Ｆｎｏw ×Ｌw ／ｆw ＜１４．０                    ・・・（１６）’
さらに、以下を満足するとさらによい。
【０１０３】
９．０＜Ｆｎｏw ×Ｌw ／ｆw ＜１１．０                    ・・・（１６）”
上述の各構成は任意に複数を同時に満足してもよく、それにより、より良好な効果を得ることができる。
【０１０４】
また、各条件式についても任意に組み合わせて満足すれば、より良好な効果を得ることができる。
【０１０５】
以上の本発明のズームレンズは、そのズームレンズによって形成された物体像を受光する位置に配置された撮像素子を備えるようにして電子撮像装置として構成することができる。
【０１０６】
また、以上の本発明のズームレンズは、そのズームレンズによって形成された物体像を受光する位置に配置された撮像素子と、その撮像素子によって光電変換された電子信号を処理するＣＰＵと、操作者がＣＰＵに入力したい情報信号を入力するための入力部と、ＣＰＵからの出力を表示装置（例えば、ＬＣＤ）に表示する表示処理手段と、ＣＰＵからの出力を記録する記録媒体とを含み、ＣＰＵは、ズームレンズによって撮像素子で受光された物体像を表示装置に表示するように構成されている情報処理装置として構成することができる。
【０１０７】
その場合の情報処理装置としては、携帯端末機器（例えば、携帯電話、ＰＤＡ等）がある。
【０１０８】
また、以上の本発明のズームレンズは、そのズームレンズによって形成された物体像を受光する位置に配置された撮像素子と、その撮像素子によって光電変換された電子信号を処理するＣＰＵと、その撮像素子で受光された物体像を観察可能に表示する表示素子とを有し、撮像素子で受光された物体像の像情報を記録するための記録媒体（例えば、メモリでメモリカードやＤＶＤ±ＲＷ等）を内蔵又は挿脱するように構成され、ＣＰＵが、撮像素子に受光された物体像を表示素子に表示する表示装置と、撮像素子に受光された物体像を記録媒体に記録する記録処理手段とを有する電子カメラ装置として構成することができる。
【発明の効果】
【０１０９】
以上説明したように、本発明により、ズーム比が大きく（例えば、３倍程度）、広角端での画角が広角（例えば、６０°程度）でありながら、広角端でのＦ値が明るく（例えば、１．８程度）、全変倍域・全撮影距離において光学性能の良好なコンパクトなズームレンズを提供することができる。
【発明を実施するための最良の形態】
【０１１０】
以下、本発明のズームレンズの実施例１〜７について説明する。実施例１〜７の無限遠物点合焦時の広角端（ａ）、中間状態（ｂ）、望遠端（ｃ）のレンズ断面図をそれぞれ図１〜図７に示す。図中、第１レンズ群はＧ１、第２レンズ群はＧ２、開口絞りはＳ、第３レンズ群はＧ３、第４レンズ群はＧ４、ＩＲカットコートを施したローパスフィルター等を構成する平行平板はＦ、電子撮像素子（ＣＣＤやＣＭＯＳ）のカバーガラスの平行平板はＣ、像面（電子撮像素子の受光面）はＩで示してある。なお、カバーガラスＣの表面に波長域制限用の多層膜を施してもよい。また、そのカバーガラスＣにローパスフィルター作用を持たせるようにしてもよい。
【０１１１】
実施例１のズーム光学系は、図１に示すように、物体側から順に、負屈折力の第１レンズ群Ｇ１、正屈折力の第２レンズ群Ｇ２、開口絞りＳ、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より若干物体側に位置する。第２レンズ群Ｇ２は開口絞りＳと一体で物体側へ移動し、第３レンズ群Ｇ３は第２レンズ群Ｇ２との間隔を広げながら物体側へ移動する。第４レンズ群Ｇ４は第３レンズ群Ｇ３との間隔を広げながら像側へ移動する。
【０１１２】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、像側に凸面を向けた正メニスカスレンズ１枚からなる。開口絞りＳは第２レンズ群Ｇ２の像側に一体に位置する。
【０１１３】
非球面は、第１レンズ群Ｇ１の接合レンズの最も物体側の面と最も像側の面、第２レンズ群Ｇ２の両凸正レンズの両面、第２レンズ群Ｇ２の接合レンズの最も物体側の面、第３レンズ群Ｇ３の両凸正レンズの両面、第４レンズ群Ｇ４の正メニスカスレンズの両面の９面に用いている。
【０１１４】
実施例２のズーム光学系は、図２に示すように、物体側から順に、負屈折力の第１レンズ群Ｇ１、正屈折力の第２レンズ群Ｇ２、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より像側で、中間状態状態より若干物体側に位置する。第２レンズ群Ｇ２は開口絞りＳを群内に一体に含んで物体側へ移動し、第３レンズ群Ｇ３は第２レンズ群Ｇ２との間隔を広げながら物体側へ移動する。第４レンズ群Ｇ４は第３レンズ群Ｇ３との間隔を広げながら像側へ移動する。
【０１１５】
物体側から順に、第１レンズ群Ｇ１は、両凹負レンズ１枚からなり、第２レンズ群Ｇ２は、両凸正レンズと、開口絞りＳと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、物体側に凸面を向けた正メニスカスレンズ１枚からなる。開口絞りＳは第２レンズ群Ｇ２の両凸正レンズと接合レンズの間に一体に位置する。
【０１１６】
非球面は、第１レンズ群Ｇ１の両凹負レンズの両面、第２レンズ群Ｇ２の両凸正レンズの両面、第２レンズ群Ｇ２の接合レンズの最も像側の面、第３レンズ群Ｇ３の両凸正レンズの両面、第４レンズ群Ｇ４の正メニスカスレンズの両面の９面に用いている。
【０１１７】
実施例３のズーム光学系は、図３に示すように、物体側から順に、負屈折力の第１レンズ群Ｇ１、正屈折力の第２レンズ群Ｇ２、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より若干像側に位置する。第２レンズ群Ｇ２は開口絞りＳと一体で物体側へ移動し、第３レンズ群Ｇ３は物体側に凸の軌跡を描いて移動し、望遠端では広角端での位置より物体側に位置する。第４レンズ群Ｇ４は第３レンズ群Ｇ３との間隔を一旦広げ次いで縮めながら像側へ移動する。
【０１１８】
物体側から順に、第１レンズ群Ｇ１は、両凹負レンズ１枚からなり、第２レンズ群Ｇ２は、両凸正レンズと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、像側に凸面を向けた正メニスカスレンズ１枚からなる。開口絞りＳは第２レンズ群Ｇ２の像側に一体に位置する。
【０１１９】
非球面は、第１レンズ群Ｇ１の両凹負レンズの両面、第２レンズ群Ｇ２の両凸正レンズの両面、第２レンズ群Ｇ２の接合レンズの最も像側の面、第３レンズ群Ｇ３の両凸正レンズの両面、第４レンズ群Ｇ４の正メニスカスレンズの両面の９面に用いている。
【０１２０】
実施例４のズーム光学系は、図４に示すように、物体側から順に、負屈折力の第１レンズ群Ｇ１、正屈折力の第２レンズ群Ｇ２、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より若干像側に位置する。第２レンズ群Ｇ２は開口絞りＳと一体で物体側へ移動し、第３レンズ群Ｇ３は物体側に凸の軌跡を描いて移動し、望遠端では広角端での位置より物体側に位置する。第４レンズ群Ｇ４は第３レンズ群Ｇ３との間隔を一旦広げ次いで縮めながら像側へ移動する。
【０１２１】
物体側から順に、第１レンズ群Ｇ１は、両凹負レンズ１枚からなり、第２レンズ群Ｇ２は、両凸正レンズと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、像側に凸面を向けた正メニスカスレンズ１枚からなる。開口絞りＳは第２レンズ群Ｇ２の像側に一体に位置する。
【０１２２】
非球面は、第１レンズ群Ｇ１の両凹負レンズの両面、第２レンズ群Ｇ２の両凸正レンズの両面、第２レンズ群Ｇ２の接合レンズの最も物体側の面、第３レンズ群Ｇ３の両凸正レンズの両面、第４レンズ群Ｇ４の正メニスカスレンズの両面の９面に用いている。
【０１２３】
実施例５のズーム光学系は、図５に示すように、物体側から順に、負屈折力の第１レンズ群Ｇ１、正屈折力の第２レンズ群Ｇ２、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より若干像側に位置する。第２レンズ群Ｇ２は開口絞りＳと一体で物体側へ移動し、第３レンズ群Ｇ３は物体側に凸の軌跡を描いて移動し、望遠端では広角端での位置より物体側に位置する。第４レンズ群Ｇ４は第３レンズ群Ｇ３との間隔を一旦広げ次いで縮めながら像側へ移動する。
【０１２４】
物体側から順に、第１レンズ群Ｇ１は、両凹負レンズ１枚からなり、第２レンズ群Ｇ２は、両凸正レンズと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、像側に凸面を向けた正メニスカスレンズ１枚からなる。開口絞りＳは第２レンズ群Ｇ２の像側に一体に位置する。
【０１２５】
非球面は、第１レンズ群Ｇ１の両凹負レンズの両面、第２レンズ群Ｇ２の両凸正レンズの両面、第２レンズ群Ｇ２の接合レンズの最も物体側の面、第３レンズ群Ｇ３の両凸正レンズの両面、第４レンズ群Ｇ４の正メニスカスレンズの両面の９面に用いている。
【０１２６】
実施例６のズーム光学系は、図６に示すように、物体側から順に、負屈折力の第１レンズ群Ｇ１、正屈折力の第２レンズ群Ｇ２、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より若干像側に位置する。第２レンズ群Ｇ２は開口絞りＳと一体で物体側へ移動し、第３レンズ群Ｇ３は物体側に凸の軌跡を描いて移動し、望遠端では広角端での位置より物体側に位置する。第４レンズ群Ｇ４は第３レンズ群Ｇ３との間隔を一旦広げ次いで縮めながら像側へ移動する。
【０１２７】
物体側から順に、第１レンズ群Ｇ１は、両凹負レンズ１枚からなり、第２レンズ群Ｇ２は、両凸正レンズと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、像側に凸面を向けた正メニスカスレンズ１枚からなる。開口絞りＳは第２レンズ群Ｇ２の像側に一体に位置する。
【０１２８】
非球面は、第１レンズ群Ｇ１の両凹負レンズの両面、第２レンズ群Ｇ２の両凸正レンズの両面、第２レンズ群Ｇ２の接合レンズの最も物体側の面、第３レンズ群Ｇ３の両凸正レンズの両面、第４レンズ群Ｇ４の正メニスカスレンズの両面の９面に用いている。
【０１２９】
実施例７のズーム光学系は、図７に示すように、物体側から順に、負屈折力の第１レンズ群Ｇ１、正屈折力の第２レンズ群Ｇ２、正屈折力の第３レンズ群Ｇ３、正屈折力の第４レンズ群Ｇ４から構成されており、広角端から望遠端への変倍をする際に、第１レンズ群Ｇ１は像側に凸の軌跡を描いて移動し、望遠端では広角端での位置より若干像側に位置する。第２レンズ群Ｇ２は開口絞りＳと一体で物体側へ移動し、第３レンズ群Ｇ３は物体側に凸の軌跡を描いて移動し、望遠端では広角端での位置より若干物体側に位置する。第４レンズ群Ｇ４は第３レンズ群Ｇ３との間隔を一旦広げ次いで縮めながら像側へ移動する。
【０１３０】
物体側から順に、第１レンズ群Ｇ１は、両凹負レンズ１枚からなり、第２レンズ群Ｇ２は、両凸正レンズと、物体側に凸面を向けた正メニスカスレンズと物体側に凸面を向けた負メニスカスレンズの接合レンズからなり、第３レンズ群Ｇ３は、像側に凸面を向けた負メニスカスレンズと、両凸正レンズからなり、第４レンズ群Ｇ４は、像側に凸面を向けた正メニスカスレンズ１枚からなる。開口絞りＳは第２レンズ群Ｇ２の像側に一体に位置する。
【０１３１】
非球面は、第１レンズ群Ｇ１の両凹負レンズの両面、第２レンズ群Ｇ２の両凸正レンズの両面、第２レンズ群Ｇ２の接合レンズの最も物体側の面、第３レンズ群Ｇ３の両凸正レンズの両面、第４レンズ群Ｇ４の正メニスカスレンズの両面の９面に用いている。
【０１３２】
以下に、上記各実施例の数値データを示すが、記号は上記の外、ｆは全系焦点距離、ＦNOはＦナンバー、２ωは画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１３３】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【０１３４】
実施例１
ｒ1 =   -18.164 （非球面）  ｄ1 =  0.90     ｎd1 =1.51633 νd1 =64.14 
ｒ2 =    13.285             ｄ2 =  1.80     ｎd2 =1.83918 νd2 =23.85 
ｒ3 =    17.066 （非球面）  ｄ3 = （可変）  
ｒ4 =    13.962 （非球面）  ｄ4 =  2.20     ｎd3 =1.74320 νd3 =49.34 
ｒ5 =   -25.345 （非球面）  ｄ5 =  0.10     
ｒ6 =     6.022 （非球面）  ｄ6 =  2.89     ｎd4 =1.80610 νd4 =40.92 
ｒ7 =   119.085             ｄ7 =  0.50     ｎd5 =2.00069 νd5 =25.46 
ｒ8 =     4.353             ｄ8 =  1.72     
ｒ9 =     ∞（絞り）        ｄ9 = （可変）  
ｒ10=    -8.900             ｄ10=  0.80     ｎd6 =1.92286 νd6 =18.90 
ｒ11=   -12.685             ｄ11=  0.18     
ｒ12=    64.569 （非球面）  ｄ12=  2.55     ｎd7 =1.80610 νd7 =40.92 
ｒ13=   -13.461 （非球面）  ｄ13= （可変）  
ｒ14=   -11.384 （非球面）  ｄ14=  1.00     ｎd8 =1.52542 νd8 =55.78 
ｒ15=    -6.418 （非球面）  ｄ15= （可変）  
ｒ16=     ∞                ｄ16=  0.74     ｎd9 =1.54771 νd9 =62.84 
ｒ17=     ∞                ｄ17=  0.50     
ｒ18=     ∞                ｄ18=  0.50     ｎd10=1.51633 νd10=64.14 
ｒ19=     ∞                ｄ19=  0.55     
ｒ20=     ∞（像面）        
非球面係数
第１面
Ｋ  = -0.690
Ａ4 =  1.00171×10-4
Ａ6 = -1.63342×10-7
Ａ8 =  0.000
Ａ10=  2.47553×10-12 
第３面
Ｋ  = -2.051
Ａ4 =  8.63337×10-5
Ａ6 = -3.14892×10-8
Ａ8 =  7.47008×10-9
Ａ10=  0.000
第４面
Ｋ  = -0.478
Ａ4 = -1.21096×10-4
Ａ6 =  2.15656×10-6
Ａ8 = -1.23897×10-7
Ａ10=  1.80977×10-9
第５面
Ｋ  = -8.737
Ａ4 = -3.31436×10-5
Ａ6 = -1.24138×10-6
Ａ8 = -6.21293×10-9
Ａ10=  5.65326×10-10 
第６面
Ｋ  =  0.224
Ａ4 = -2.71845×10-5
Ａ6 = -6.16672×10-6
Ａ8 =  1.14404×10-7
Ａ10= -6.55772×10-9
第１２面
Ｋ  = -511.997
Ａ4 = -1.35640×10-4
Ａ6 = -9.45635×10-6
Ａ8 = -1.55393×10-7
Ａ10=  0
第１３面
Ｋ  =  0.910
Ａ4 = -1.71590×10-4
Ａ6 = -7.55572×10-6
Ａ8 = -1.11729×10-8
Ａ10= -1.29134×10-9
第１４面
Ｋ  = -0.773
Ａ4 = -1.36202×10-3
Ａ6 =  7.62379×10-5
Ａ8 =  0
Ａ10=  0
第１５面
Ｋ  =  0.000
Ａ4 =  0.000
Ａ6 =  7.95903×10-5
Ａ8 =  1.49209×10-7
Ａ10=  0
ズームデータ（∞）
ＷＥ            ＳＴ            ＴＥ
ｆ (mm)             7.32           12.40           20.95  
ＦNO                1.86            2.57            3.86  
２ω（°）         66.55           39.00           23.69  
ｄ3                19.41           10.28            5.74  
ｄ9                 2.74            5.59           14.38  
ｄ13                1.12            4.30            5.22  
ｄ15                2.42            1.20            0.54                    。
【０１３５】
実施例２
ｒ1 =   -20.816 （非球面）  ｄ1 =  0.90     ｎd1 =1.43875 νd1 =94.93 
ｒ2 =    25.057 （非球面）  ｄ2 = （可変）  
ｒ3 =    37.240 （非球面）  ｄ3 =  1.66     ｎd2 =1.69350 νd2 =53.20 
ｒ4 =   -20.795 （非球面）  ｄ4 =  0.85     
ｒ5 =     ∞（絞り）        ｄ5 =  0.00     
ｒ6 =     6.489             ｄ6 =  2.89     ｎd3 =1.88300 νd3 =40.76 
ｒ7 =    18.770             ｄ7 =  0.55     ｎd4 =1.83918 νd4 =23.85 
ｒ8 =     4.726 （非球面）  ｄ8 = （可変）  
ｒ9 =    -7.273             ｄ9 =  0.80     ｎd5 =1.92286 νd5 =18.90 
ｒ10=   -10.260             ｄ10=  0.14     
ｒ11=    73.301 （非球面）  ｄ11=  2.89     ｎd6 =1.69350 νd6 =53.20 
ｒ12=    -8.705 （非球面）  ｄ12= （可変）  
ｒ13=    51.991 （非球面）  ｄ13=  1.00     ｎd7 =1.69350 νd7 =53.20 
ｒ14=    82.598 （非球面）  ｄ14= （可変）  
ｒ15=     ∞                ｄ15=  0.74     ｎd8 =1.54771 νd8 =62.84 
ｒ16=     ∞                ｄ16=  0.50     
ｒ17=     ∞                ｄ17=  0.50     ｎd9 =1.51633 νd9 =64.14 
ｒ18=     ∞                ｄ18=  0.55     
ｒ19=     ∞（像面）        
非球面係数
第１面
Ｋ  =  1.180
Ａ4 =  1.40655×10-4
Ａ6 = -1.80459×10-7
Ａ8 =  0
Ａ10=  0
第２面
Ｋ  = -1.851
Ａ4 =  7.57636×10-5
Ａ6 =  8.16426×10-7
Ａ8 = -3.52579×10-9
Ａ10=  0
第３面
Ｋ  =  0.345
Ａ4 = -1.00415×10-4
Ａ6 =  9.13285×10-7
Ａ8 = -5.30604×10-8
Ａ10= -1.70089×10-9
第４面
Ｋ  = -19.177 
Ａ4 = -2.82138×10-4
Ａ6 =  6.17656×10-6
Ａ8 = -2.15982×10-7
Ａ10=  1.04026×10-9
第８面
Ｋ  =  0.046
Ａ4 = -7.00739×10-5
Ａ6 = -7.43442×10-8
Ａ8 =  3.15359×10-8
Ａ10=  2.80403×10-8
第１１面
Ｋ  =  9.900
Ａ4 = -1.65424×10-4
Ａ6 = -2.62280×10-6
Ａ8 =  0
Ａ10=  0
第１２面
Ｋ  =  0.071
Ａ4 =  1.40802×10-4
Ａ6 = -1.28528×10-6
Ａ8 =  0
Ａ10=  0
第１３面
Ｋ  = -3.830
Ａ4 = -1.61854×10-4
Ａ6 = -4.23404×10-6
Ａ8 =  0
Ａ10=  0
第１４面
Ｋ  =  0.000
Ａ4 =  0.000
Ａ6 =  0.000
Ａ8 = -1.27169×10-7
Ａ10=  0
ズームデータ（∞）
ＷＥ            ＳＴ            ＴＥ
ｆ (mm)             8.14           13.53           23.43  
ＦNO                1.85            2.44            3.48  
２ω（°）         61.93           35.96           21.05  
ｄ2                21.66           11.45            4.17  
ｄ8                 4.72           10.20           18.25  
ｄ12                0.90            1.21            2.48  
ｄ14                3.14            2.14            0.33                    。
【０１３６】
実施例３
ｒ1 =   -28.621 （非球面）  ｄ1 =  0.90     ｎd1 =1.43875 νd1 =94.93 
ｒ2 =    13.270 （非球面）  ｄ2 = （可変）  
ｒ3 =    18.910 （非球面）  ｄ3 =  1.83     ｎd2 =1.76802 νd2 =49.24 
ｒ4 =   -52.548 （非球面）  ｄ4 =  0.10     
ｒ5       7.084             ｄ5 =  2.89     ｎd3 =1.88300 νd3 =40.76 
ｒ6 =    27.980             ｄ6 =  0.55     ｎd4 =1.83918 νd4 =23.85 
ｒ7 =     5.338 （非球面）  ｄ7 =  1.72     
ｒ8 =     ∞（絞り）        ｄ8 = （可変）  
ｒ9 =    -7.790             ｄ9 =  0.80     ｎd5 =1.92286 νd5 =18.90 
ｒ10=   -11.396             ｄ10=  0.15     
ｒ11=    60.657 （非球面）  ｄ11=  2.34     ｎd6 =1.76802 νd6 =49.24 
ｒ12=   -11.972 （非球面）  ｄ12= （可変）  
ｒ13=   -26.874 （非球面）  ｄ13=  1.00     ｎd7 =1.69350 νd7 =53.20 
ｒ14=   -17.612 （非球面）  ｄ14= （可変）  
ｒ15=     ∞                ｄ15=  0.74     ｎd8 =1.54771 νd8 =62.84 
ｒ16=     ∞                ｄ16=  0.50     
ｒ17=     ∞                ｄ17=  0.50     ｎd9 =1.51633 νd9 =64.14 
ｒ18=     ∞                ｄ18=  0.55     
ｒ19=     ∞（像面）        
非球面係数
第１面
Ｋ  = -0.134
Ａ4 =  2.47196×10-7
Ａ6 =  2.34297×10-7
Ａ8 =  0.000
Ａ10=  0.000
第２面
Ｋ  = -1.454
Ａ4 =  1.35646×10-5
Ａ6 = -1.44746×10-7
Ａ8 =  6.88829×10-9
Ａ10=  0.000
第３面
Ｋ  = -0.093
Ａ4 =  3.65504×10-5
Ａ6 = -1.10311×10-7
Ａ8 = -4.25458×10-8
Ａ10=  2.18338×10-10 
第４面
Ｋ  = -18.402 
Ａ4 =  3.23935×10-5
Ａ6 = -6.55955×10-7
Ａ8 = -3.93067×10-8
Ａ10=  4.20213×10-10 
第７面
Ｋ  =  0.004
Ａ4 =  1.46877×10-4
Ａ6 =  8.79444×10-6
Ａ8 =  1.86813×10-7
Ａ10=  8.06203×10-9
第１１面
Ｋ  = -12.098 
Ａ4 = -1.37660×10-4
Ａ6 =  1.15212×10-6
Ａ8 = -2.15963×10-7
Ａ10=  0
第１２面
Ｋ  = -0.296
Ａ4 = -5.40491×10-5
Ａ6 = -2.16122×10-6
Ａ8 = -3.79109×10-8
Ａ10= -2.42168×10-9
第１３面
Ｋ  = -5.302
Ａ4 = -3.55522×10-4
Ａ6 =  2.30162×10-5
Ａ8 =  0
Ａ10=  0
第１４面
Ｋ  =  0.000
Ａ4 =  0.000
Ａ6 =  2.63358×10-5
Ａ8 =  1.38995×10-8
Ａ10=  0
ズームデータ（∞）
ＷＥ            ＳＴ            ＴＥ
ｆ (mm)             8.14           14.00           23.40  
ＦNO                1.86            2.31            3.68  
２ω（°）         60.88           35.28           21.40  
ｄ2                20.49            6.87            5.23  
ｄ8                 4.12            3.63           17.92  
ｄ12                1.11            7.40            5.08  
ｄ14                3.45            1.58            0.10                    。
【０１３７】
実施例４
ｒ1 =   -22.456 （非球面）  ｄ1 =  0.90     ｎd1 =1.43875 νd1 =94.93 
ｒ2 =    14.994 （非球面）  ｄ2 = （可変）  
ｒ3 =    13.771 （非球面）  ｄ3 =  2.19     ｎd2 =1.76802 νd2 =49.24 
ｒ4 =   -39.652 （非球面）  ｄ4 =  0.10     
ｒ5       6.603 （非球面）  ｄ5 =  2.89     ｎd3 =1.80610 νd3 =40.92 
ｒ6 =    36.989             ｄ6 =  0.50     ｎd4 =2.00069 νd4 =25.46 
ｒ7 =     4.970             ｄ7 =  1.72     
ｒ8 =     ∞（絞り）        ｄ8 = （可変）  
ｒ9 =    -8.900             ｄ9 =  0.80     ｎd5 =1.92286 νd5 =18.90 
ｒ10=   -16.301             ｄ10=  0.18     
ｒ11=    45.839 （非球面）  ｄ11=  2.55     ｎd6 =1.80610 νd6 =40.92 
ｒ12=   -11.204 （非球面）  ｄ12= （可変）  
ｒ13=   -11.989 （非球面）  ｄ13=  1.00     ｎd7 =1.52542 νd7 =55.78 
ｒ14=    -8.434 （非球面）  ｄ14= （可変）  
ｒ15=     ∞                ｄ15=  0.74     ｎd8 =1.54771 νd8 =62.84 
ｒ16=     ∞                ｄ16=  0.50     
ｒ17=     ∞                ｄ17=  0.50     ｎd9 =1.51633 νd9 =64.14 
ｒ18=     ∞                ｄ18=  0.36     
ｒ19=     ∞（像面）        
非球面係数
第１面
Ｋ  = -0.459
Ａ4 =  2.33118×10-5
Ａ6 =  2.15920×10-7
Ａ8 =  0.000
Ａ10=  5.54144×10-13 
第２面
Ｋ  = -1.934
Ａ4 =  3.16423×10-5
Ａ6 = -2.27645×10-7
Ａ8 =  1.23376×10-8
Ａ10=  0.000
第３面
Ｋ  = -0.157
Ａ4 =  1.98169×10-5
Ａ6 = -2.11464×10-6
Ａ8 = -7.88182×10-8
Ａ10=  1.28470×10-9
第４面
Ｋ  = -17.823 
Ａ4 = -1.06473×10-5
Ａ6 = -3.59679×10-6
Ａ8 =  3.36460×10-8
Ａ10=  1.43653×10-10 
第５面
Ｋ  =  0.201
Ａ4 = -1.48728×10-4
Ａ6 = -4.66395×10-6
Ａ8 =  1.36528×10-8
Ａ10= -1.08445×10-9 
第１１面
Ｋ  = -11.706 
Ａ4 = -1.64483×10-4
Ａ6 = -2.88572×10-6
Ａ8 = -2.78723×10-7
Ａ10=  0
第１２面
Ｋ  = -0.766
Ａ4 = -6.30426×10-5
Ａ6 = -6.34815×10-6
Ａ8 = -5.34397×10-8
Ａ10= -2.91352×10-9
第１３面
Ｋ  = -3.556
Ａ4 = -1.01455×10-3
Ａ6 =  5.08647×10-5
Ａ8 =  0
Ａ10=  0
第１４面
Ｋ  =  0.000
Ａ4 =  0.000
Ａ6 =  4.24264×10-5
Ａ8 =  2.17708×10-7
Ａ10=  0
ズームデータ（∞）
ＷＥ            ＳＴ            ＴＥ
ｆ (mm)             8.14           13.86           23.36  
ＦNO                1.86            2.41            3.84  
２ω（°）         60.97           35.69           21.53  
ｄ2                20.73            8.61            6.38  
ｄ8                 3.43            4.36           17.08  
ｄ12                1.29            6.78            4.89  
ｄ14                3.26            1.29            0.09                    。
【０１３８】
実施例５
ｒ1 =   -22.732 （非球面）  ｄ1 =  0.90     ｎd1 =1.43875 νd1 =94.93 
ｒ2 =    14.930 （非球面）  ｄ2 = （可変）  
ｒ3 =    13.675 （非球面）  ｄ3 =  2.22     ｎd2 =1.74320 νd2 =49.34 
ｒ4 =   -35.635 （非球面）  ｄ4 =  0.10     
ｒ5       6.567 （非球面）  ｄ5 =  2.89     ｎd3 =1.80610 νd3 =40.92 
ｒ6 =    36.857             ｄ6 =  0.50     ｎd4 =2.00069 νd4 =25.46 
ｒ7 =     4.934             ｄ7 =  1.72     
ｒ8 =     ∞（絞り）        ｄ8 = （可変）  
ｒ9 =    -8.940             ｄ9 =  0.80     ｎd5 =1.92286 νd5 =18.90 
ｒ10=   -16.369             ｄ10=  0.18     
ｒ11=    45.839 （非球面）  ｄ11=  2.55     ｎd6 =1.80610 νd6 =40.92 
ｒ12=   -11.200 （非球面）  ｄ12= （可変）  
ｒ13=   -10.490 （非球面）  ｄ13=  1.00     ｎd7 =1.52542 νd7 =55.78 
ｒ14=    -7.694 （非球面）  ｄ14= （可変）  
ｒ15=     ∞                ｄ15=  0.74     ｎd8 =1.54771 νd8 =62.84 
ｒ16=     ∞                ｄ16=  0.50     
ｒ17=     ∞                ｄ17=  0.50     ｎd9 =1.51633 νd9 =64.14 
ｒ18=     ∞                ｄ18=  0.49     
ｒ19=     ∞（像面）        
非球面係数
第１面
Ｋ  = -0.515
Ａ4 =  3.92602×10-5
Ａ6 = -1.48623×10-8
Ａ8 =  0.000
Ａ10=  1.85395×10-12 
第２面
Ｋ  = -2.154
Ａ4 =  5.13992×10-5
Ａ6 = -9.41584×10-8
Ａ8 =  5.04242×10-9
Ａ10=  0.000
第３面
Ｋ  = -0.175
Ａ4 = -7.40812×10-6
Ａ6 = -3.56080×10-7
Ａ8 = -2.19131×10-8
Ａ10= -7.65694×10-11 
第４面
Ｋ  = -17.795 
Ａ4 = -1.27019×10-5
Ａ6 = -4.94424×10-7
Ａ8 = -7.21058×10-9
Ａ10= -1.04401×10-11 
第５面
Ｋ  =  0.190
Ａ4 = -1.08305×10-4
Ａ6 = -2.85168×10-6
Ａ8 = -4.27801×10-8
Ａ10= -1.92590×10-9
第１１面
Ｋ  = -11.837 
Ａ4 = -1.75086×10-4
Ａ6 = -2.27012×10-6
Ａ8 = -3.09026×10-7
Ａ10=  0
第１２面
Ｋ  = -0.838
Ａ4 = -6.93379×10-5
Ａ6 = -6.51775×10-6
Ａ8 = -5.91578×10-8
Ａ10= -3.02570×10-9
第１３面
Ｋ  = -2.977
Ａ4 = -1.09868×10-3
Ａ6 =  5.00073×10-5
Ａ8 =  0
Ａ10=  0
第１４面
Ｋ  =  0.000
Ａ4 =  0.000
Ａ6 =  4.46816×10-5
Ａ8 =  1.02875×10-7
Ａ10=  0
ズームデータ（∞）
ＷＥ            ＳＴ            ＴＥ
ｆ (mm)             8.14           13.82           23.36  
ＦNO                1.86            2.42            3.85  
２ω（°）         60.80           35.73           21.46  
ｄ2                20.73            8.82            6.35  
ｄ8                 3.37            4.61           17.03  
ｄ12                1.25            6.45            4.81  
ｄ14                3.21            1.29            0.07                    。
【０１３９】
実施例６
ｒ1 =   -22.016 （非球面）  ｄ1 =  0.90     ｎd1 =1.43875 νd1 =94.93 
ｒ2 =    15.461 （非球面）  ｄ2 = （可変）  
ｒ3 =    14.701 （非球面）  ｄ3 =  2.06     ｎd2 =1.74320 νd2 =49.34 
ｒ4 =   -32.999 （非球面）  ｄ4 =  0.10     
ｒ5       6.405 （非球面）  ｄ5 =  2.89     ｎd3 =1.80610 νd3 =40.92 
ｒ6 =    33.244             ｄ6 =  0.50     ｎd4 =2.00069 νd4 =25.46 
ｒ7 =     4.856             ｄ7 =  1.72     
ｒ8 =     ∞（絞り）        ｄ8 = （可変）  
ｒ9 =    -8.940             ｄ9 =  0.80     ｎd5 =1.92286 νd5 =18.90 
ｒ10=   -16.611             ｄ10=  0.18     
ｒ11=    45.839 （非球面）  ｄ11=  2.55     ｎd6 =1.80610 νd6 =40.92 
ｒ12=   -11.009 （非球面）  ｄ12= （可変）  
ｒ13=   -10.879 （非球面）  ｄ13=  1.00     ｎd7 =1.52542 νd7 =55.78 
ｒ14=    -7.731 （非球面）  ｄ14= （可変）  
ｒ15=     ∞                ｄ15=  0.74     ｎd8 =1.54771 νd8 =62.84 
ｒ16=     ∞                ｄ16=  0.50     
ｒ17=     ∞                ｄ17=  0.50     ｎd9 =1.51633 νd9 =64.14 
ｒ18=     ∞                ｄ18=  0.53     
ｒ19=     ∞（像面）        
非球面係数
第１面
Ｋ  = -0.519
Ａ4 =  3.69695×10-5
Ａ6 =  5.65774×10-8
Ａ8 =  0.000
Ａ10=  3.73887×10-12 
第２面
Ｋ  = -2.161
Ａ4 =  4.21993×10-5
Ａ6 = -1.75597×10-7
Ａ8 =  8.97310×10-9
Ａ10=  0.000
第３面
Ｋ  = -0.175
Ａ4 = -9.06679×10-6
Ａ6 = -3.53110×10-7
Ａ8 = -2.44657×10-8
Ａ10=  2.47234×10-10 
第４面
Ｋ  = -17.775 
Ａ4 = -2.80828×10-5
Ａ6 = -1.49749×10-7
Ａ8 = -1.08247×10-8
Ａ10=  1.49523×10-10 
第５面
Ｋ  =  0.037
Ａ4 = -3.97693×10-5
Ａ6 = -1.02246×10-6
Ａ8 = -1.04292×10-9
Ａ10= -2.35540×10-13 
第１１面
Ｋ  = -11.838 
Ａ4 = -1.64575×10-4
Ａ6 = -3.82233×10-6
Ａ8 = -2.40636×10-7
Ａ10=  0
第１２面
Ｋ  = -0.837
Ａ4 = -6.41167×10-5
Ａ6 = -6.74867×10-6
Ａ8 = -4.23546×10-8
Ａ10= -2.74519×10-9
第１３面
Ｋ  = -2.908
Ａ4 = -1.08544×10-3
Ａ6 =  4.99868×10-5
Ａ8 =  0
Ａ10=  0
第１４面
Ｋ  =  0.000
Ａ4 =  0.000
Ａ6 =  4.25126×10-5
Ａ8 =  1.52833×10-7
Ａ10=  0
ズームデータ（∞）
ＷＥ            ＳＴ            ＴＥ
ｆ (mm)             8.14           13.81           23.37  
ＦNO                1.85            2.47            3.85  
２ω（°）         60.83           35.75           21.47  
ｄ2                20.70            9.76            6.47  
ｄ8                 3.54            6.20           17.38  
ｄ12                1.23            5.56            4.71  
ｄ14                3.18            1.24            0.03                    。
【０１４０】
実施例７
ｒ1 =   -22.274 （非球面）  ｄ1 =  0.90     ｎd1 =1.43875 νd1 =94.93 
ｒ2 =    15.613 （非球面）  ｄ2 = （可変）  
ｒ3 =    14.914 （非球面）  ｄ3 =  2.05     ｎd2 =1.74320 νd2 =49.34 
ｒ4 =   -36.211 （非球面）  ｄ4 =  0.10     
ｒ5       6.740 （非球面）  ｄ5 =  2.89     ｎd3 =1.88300 νd3 =40.76 
ｒ6 =    30.586             ｄ6 =  0.50     ｎd4 =2.00069 νd4 =25.46 
ｒ7 =     4.878             ｄ7 =  1.72     
ｒ8 =     ∞（絞り）        ｄ8 = （可変）  
ｒ9 =    -8.330             ｄ9 =  0.80     ｎd5 =1.94595 νd5 =17.98 
ｒ10=   -14.723             ｄ10=  0.18     
ｒ11=    60.339 （非球面）  ｄ11=  2.55     ｎd6 =1.88300 νd6 =40.76 
ｒ12=   -11.469 （非球面）  ｄ12= （可変）  
ｒ13=   -11.106 （非球面）  ｄ13=  1.00     ｎd7 =1.52542 νd7 =55.78 
ｒ14=    -7.881 （非球面）  ｄ14= （可変）  
ｒ15=     ∞                ｄ15=  0.74     ｎd8 =1.54771 νd8 =62.84 
ｒ16=     ∞                ｄ16=  0.50     
ｒ17=     ∞                ｄ17=  0.50     ｎd9 =1.51633 νd9 =64.14 
ｒ18=     ∞                ｄ18=  0.40     
ｒ19=     ∞（像面）        
非球面係数
第１面
Ｋ  = -0.518
Ａ4 =  4.88141×10-5
Ａ6 = -3.21382×10-8
Ａ8 =  0.000
Ａ10=  4.02767×10-12 
第２面
Ｋ  = -2.161
Ａ4 =  6.44536×10-5
Ａ6 = -2.46896×10-7
Ａ8 =  7.75334×10-9
Ａ10=  0.000
第３面
Ｋ  = -0.175
Ａ4 = -1.92171×10-5
Ａ6 = -3.89730×10-7
Ａ8 = -1.82966×10-8
Ａ10=  1.26317×10-10 
第４面
Ｋ  = -17.775 
Ａ4 = -1.94577×10-5
Ａ6 = -2.58431×10-7
Ａ8 = -1.15784×10-8
Ａ10=  1.32488×10-10 
第５面
Ｋ  =  0.036
Ａ4 = -2.54431×10-5
Ａ6 = -5.58730×10-7
Ａ8 = -5.36386×10-10 
Ａ10= -6.90965×10-12 
第１１面
Ｋ  = -11.838 
Ａ4 = -1.37364×10-4
Ａ6 = -4.56316×10-6
Ａ8 = -3.54608×10-8
Ａ10=  0
第１２面
Ｋ  = -0.837
Ａ4 = -5.64622×10-5
Ａ6 = -6.19494×10-6
Ａ8 =  3.58402×10-8
Ａ10= -1.10103×10-9
第１３面
Ｋ  = -2.908
Ａ4 = -9.86766×10-4
Ａ6 =  3.81895×10-5
Ａ8 =  0
Ａ10=  0
第１４面
Ｋ  =  0.000
Ａ4 =  0.000
Ａ6 =  3.39609×10-5
Ａ8 =  5.27968×10-8
Ａ10=  0
ズームデータ（∞）
ＷＥ            ＳＴ            ＴＥ
ｆ (mm)             8.10           13.65           23.32  
ＦNO                1.86            2.46            3.86  
２ω（°）         61.72           36.45           21.68  
ｄ2                20.69            9.75            6.43  
ｄ8                 3.59            6.22           17.41  
ｄ12                1.26            5.55            4.68  
ｄ14                3.39            1.39            0.04                    。
【０１４１】
以上の実施例１〜７の無限遠物点合焦時の収差図をそれぞれ図８〜図１４に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。      
【０１４２】
次に、上記各実施例における条件式（１）〜（１６）の値を示す。
【０１４３】
条件式  実施例１  実施例２  実施例３  実施例４  実施例５  実施例６  実施例７    （１）  -2.565    -2.728    -2.261    -1.966    -1.976    -1.965    -1.946
（２）  -5.702    -5.869    -5.321    -3.405    -3.407    -3.331    -3.606
（３）   1.923     1.923     1.923     1.923     1.923     1.923     1.946
（４）  18.900    18.900    18.900    18.900    18.900    18.900    17.984
（５）   0.610     0.579     0.718     0.633     0.626     0.646     0.656
（６）    −      94.930    94.930    94.930    94.930    94.930    94.930
（７）   0.155    -0.092     0.366     0.199     0.207     0.175     0.176
（８）   0.594     0.581     0.656     0.611     0.606     0.597     0.602
（９）   2.001     1.839     1.839     2.001     2.001     2.001     2.001
（１０）  25.458    23.855    23.855    25.458    25.458    25.458    25.458
（１１）  -2.533    -3.164    -2.522    -2.500    -2.505    -2.525    -2.564
（１２）   1.707     1.774     1.693     1.667     1.668     1.682     1.696
（１３）   2.770     1.888     2.497     2.358     2.349     2.322     2.305
（１４）   5.815     5.451     5.371     5.358     5.358     5.354     5.397
（１５）   2.028     1.666     1.827     1.846     1.845     1.852     1.849
（１６）  10.816    10.072     9.983     9.965     9.959     9.924    10.025
。
【０１４４】
さて、以上のような本発明のズームレンズは、ズームレンズの結像光学系で物体像を形成しその像をＣＣＤや銀塩フィルムといった撮像素子に受光させて撮影を行う撮影装置に用いることができる。上記撮影装置は、具体的な製品としては、例えば、デジタルカメラ、カメラが組み込まれた、パソコン、携帯電話やＰＤＡ（Personal Digital Assistant）等のデジタル端末機器として広く適用することができる。以下に、その実施形態の１つを例示する。
【０１４５】
図１５〜図１７は、以上のようなズームレンズを撮影光学系４１に組み込んだ本発明によるデジタルカメラの構成の概念図を示す。図１５はデジタルカメラ４０の外観を示す前方斜視図、図１６は同後方正面図、図１７はデジタルカメラ４０の構成を示す模式的な断面図である。ただし、図１５と図１７においては、撮影光学系４１の非沈胴時を示している。デジタルカメラ４０は、この例の場合、撮影用光路４２上に位置する撮影光学系４１、ファインダー用光路４４上に位置するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１７の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１４６】
さらに、ファインダー用光路４４上にはファインダー用対物光学系５３が配置してある。ファインダー用対物光学系５３は、複数のレンズ群（図の場合は３群）と正立プリズム５５ａ、５５ｂ、５５ｃからなる正立プリズム系５５とから構成され、撮影光学系４１のズームレンズに連動して焦点距離が変化するズーム光学系からなり、このファインダー用対物光学系５３によって形成された物体像は、像正立部材である正立プリズム系５５の視野枠５７上に形成される。この正立プリズム系５５の後方には、正立正像にされた像を観察者眼球Ｅに導く接眼光学系５９が配置されている。なお、接眼光学系５９の射出側にカバー部材５０が配置されている。
【０１４７】
図１８に上記デジタルカメラ４０の主要部の内部構成の概略ブロック図を示す。なお、シャッターボタン４５に代表される操作部は符号５００で示されており、処理手段はＣＰＵ５１で、撮像素子はＣＣＤ４９で構成されているものとし、記録手段はメモリーカード５２１と外部記憶装置（光ディスクやＨＤＤ等）５２２とで構成されているものとしている。ＣＰＵ５１が操作部５００のシャッターボタン４５が押圧されたと判断すると、露光制御による最適シャッター制御値や絞り制御の演算を行い、その演算後にこれら制御値に基づいてシャッター及び絞り制御を行う。その他の制御動作は上記の通りである。
【０１４８】
このように構成されたデジタルカメラ４０は、撮影光学系４１の光学性能が向上されていて、鏡筒のコンパクト化が可能であるので、カメラ全体の高級化、小型化が図れる。
【図面の簡単な説明】
【０１４９】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様のレンズ断面図である。
【図３】本発明のズームレンズの実施例３の図１と同様のレンズ断面図である。
【図４】本発明のズームレンズの実施例４の図１と同様のレンズ断面図である。
【図５】本発明のズームレンズの実施例５の図１と同様のレンズ断面図である。
【図６】本発明のズームレンズの実施例６の図１と同様のレンズ断面図である。
【図７】本発明のズームレンズの実施例７の図１と同様のレンズ断面図である。
【図８】実施例１の無限遠物点合焦時の広角端（ａ）、中間状態（ｂ）、望遠端（ｃ）での収差図である。
【図９】実施例２の図８と同様の収差図である。
【図１０】実施例３の図８と同様の収差図である。
【図１１】実施例４の図８と同様の収差図である。
【図１２】実施例５の図８と同様の収差図である。
【図１３】実施例６の図８と同様の収差図である。
【図１４】実施例７の図８と同様の収差図である。
【図１５】本発明によるデジタルカメラの外観を示す前方斜視図である。
【図１６】図１５のデジタルカメラの後方斜視図である。
【図１７】図１５のデジタルカメラの断面図である。
【図１８】図１５のデジタルカメラの主要部の内部構成の概略ブロック図である。
【符号の説明】
【０１５０】
Ｇ１…第１レンズ群
Ｇ２…第２レンズ群
Ｇ３…第３レンズ群
Ｇ４…第２レンズ群
Ｓ…開口絞り
Ｆ…ローパスフィルター
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
５００…操作部
５２１…メモリーカード
５２２…外部記憶装置（光ディスク、ＨＤＤ）
【図１】
2007279184.tif 000003
【図２】
2007279184.tif 000004
【図３】
2007279184.tif 000005
【図４】
2007279184.tif 000006
【図５】
2007279184.tif 000007
【図６】
2007279184.tif 000008
【図７】
2007279184.tif 000009
【図８】
2007279184.tif 000010
【図９】
2007279184.tif 000011
【図１０】
2007279184.tif 000012
【図１１】
2007279184.tif 000013
【図１２】
2007279184.tif 000014
【図１３】
2007279184.tif 000015
【図１４】
2007279184.tif 000016
【図１５】
2007279184.tif 000017
【図１６】
2007279184.tif 000018
【図１７】
2007279184.tif 000019
【図１８】
2007279184.tif 000020